(57)【特許請求の範囲】
【請求項１】
連続気泡を備えた発泡樹脂或いは合成樹脂製不織布若しくはそれらの組合せから構成された軟質なタワシ本体の表面の一部に、縒り糸からなる網糸を網状に編成された合成繊維製のネットを付設し、このネットを構成する網糸の各植毛部に多数の合成樹脂製のブラシ毛を植設するとともに、ネットの網糸の交差箇所における各植毛部でのブラシ毛の密度を、交差箇所以外の植毛部でのブラシ毛の密度よりも高く構成してある樹脂タワシ。
【請求項２】
前記タワシ本体が直方体状に構成されていて、少なくとも２つの角部を互いに半径の異なる弧状に形成されている請求項１記載の樹脂タワシ。
【発明の詳細な説明】
【０００１】
【発明の属する技術分野】
本発明は、洗浄用の樹脂タワシに関し、詳しくは、連続気泡を備えた発泡樹脂或いは合成樹脂製不織布若しくはそれらの組合せから構成された軟質なタワシ本体の表面の一部に、多数のブラシ毛を付設してある樹脂タワシに関する。
【０００２】
【従来の技術】
従来、この種の樹脂タワシとしては、直方体状に構成された前記タワシ本体の表面の一部に布地を貼着し、この布地の全域に、多数の合成樹脂製のブラシ毛を密集状態で植設したものが提案されている（例えば、特開昭５４−６２６６０号公報参照）。
【０００３】
【発明が解決しようとする課題】
従来の樹脂タワシでは、タワシ本体の一側面に位置するブラシ毛群により、表面に微小な凹凸を有する被洗浄物や網目状の被洗浄物等に付着した汚れを掻き落とすことができるとともに、前記ブラシ毛群がタワシ本体の表面の一部に形成されているでけであるから、被洗浄物の種類に応じて軟質なタワシ本体による洗浄とブラシ毛群による洗浄とに便利に使い分けることができるものの、タワシ本体の表面に貼着された布地の全域に多数のブラシ毛群が密集状態で植設されているため、洗浄に伴って掻き落とされた汚物がブラシ毛群中に入り込んで目詰まりを招来し易く、しかも、ブラシ毛群中に入り込んだ汚物の除去に多くの手間を要する問題があった。
【０００４】
本発明は、上述の事情に鑑みて為されたものであって、その主たる課題は、被洗浄物の種類に応じてタワシ本体による洗浄とブラシ毛群による洗浄とに便利に使い分けることができるものでありながら、ブラシ毛群の目詰まりを抑制することができるとともに、ブラシ毛群中に入り込んだ汚物を容易に除去することができ、しかも、このブラシ毛群による洗浄時における汚れの掻き落し性能を高めることができる樹脂タワシを提供する点にある。
【０００５】
【課題を解決するための手段】
本発明の請求項１記載の樹脂タワシの特徴構成は、連続気泡を備えた発泡樹脂或いは合成樹脂製不織布若しくはそれらの組合せから構成された軟質なタワシ本体の表面の一部に、縒り糸からなる網糸を網状に編成された合成繊維製のネットを付設し、このネットを構成する網糸の各植毛部に多数の合成樹脂製のブラシ毛を植設するとともに、ネットの網糸の交差箇所における各植毛部でのブラシ毛の密度を、交差箇所以外の植毛部でのブラシ毛の密度よりも高く構成した点にある。
上記特徴構成によれば、前記ネット及びブラシ毛群は、タワシ本体の表面の一部に付設されているだけであるから、被洗浄物の種類に応じて軟質なタワシ本体による洗浄とブラシ毛群による洗浄とに便利に使い分けることができる。
しかも、前記ネット及びブラシ毛群側で洗浄する場合、ブラシ毛群が被洗浄物の凹部の奥側に入り込みながら汚れを掻き取ると同時に、ネットが被洗浄物の表面側を擦りながら汚れを掻き取ることができる。
その上、前記ブラシ毛群はネットに付設されているから、洗浄に伴ってブラシ毛群中に入り込んだ汚物を、ブラシ毛群の網目相当部位に形成される空間を通して容易に除去することができるとともに、この空間を利用して掻き落とされた汚物を一時的に保持することができるから、ブラシ毛群の目詰まりを抑制することができる。
従って、被洗浄物の種類に応じてタワシ本体による洗浄とブラ毛群による洗浄とに便利に使い分けすることができるものでありながら、洗浄時のブラシ毛群の目詰まりを抑制して、所期のブラッシング機能を良好に発揮させることができるとともに、ブラシ毛群中に入り込んだ汚物を網目相当部位の空間を通して容易に除去することができる。しかも、前記ブラシ毛による掻き取り作用とネットによる掻き取り作用とによって、ブラシング時における汚れの掻き落とし性能を高めることができる。
【０００６】
特に、前記ネットの網糸のうち、他の部位に比して強靱な交差箇所における各植毛部でのブラシ毛の密度を、交差箇所以外の各植毛部でのブラシ毛の密度よりも高くすることにより、例えば、前記ネットの交差箇所における各植毛部でのブラシ毛の密度を他の部位における各植毛部でのブラシ毛の密度と同一に構成する場合に比して、コビリ付いた汚れの掻き落し効果を高めることができる。
【０００７】
本発明の請求項２記載の樹脂タワシの特徴構成は、前記タワシ本体が直方体状に構成されていて、少なくとも２つの角部を互いに半径の異なる弧状に形成されている点にある。  上記特徴構成によれば、被洗浄物の隅部の形状や曲率等に応じて、タワシ本体の角部を使い分けて洗浄することにより、隅々まで良好に洗浄することができる。
【０００８】
【発明の実施の形態】
図１〜図３は、本発明の樹脂タワシの好ましい実施形態を示し、連続気泡を備えた発泡樹脂の一例であるウレタンフォーム製の第１スポンジ１と、該第１スポンジ１よりも目の細かい連続気泡を備えた発泡樹脂の一例であるウレタンフォーム製の第２スポンジ２とを積層状態で貼着して構成された直方体状の軟質なタワシ本体３の表面のうち、前記両スポンジ１，２の積層方向に直交する第２スポンジ２の一側面２ａ全域に亘って、合成繊維（例えば、ポリエステル繊維）を束ねて形成された縒り糸からなる網糸４ａを、亀甲模様の網状に編成して形成されたネット４を貼着してあるとともに、このネット４を構成する網糸４ａの各植毛部に、多数の合成樹脂（例えば、ナイロン）製の強靱なブラシ毛５を植設してある。
【０００９】
つまり、前記第２スポンジ２の一側面２ａには、ネット４の網糸４ａに沿って多数のブラシ毛５が付設され、更に、この多数のブラシ毛５からなるブラシ毛群の網目相当部位には、被洗浄物の洗浄に伴ってブラシ毛群中に入り込んだ汚物を除去するための空間６を形成してある。
【００１０】
前記第１スポンジ１は、第２スポンジ２に比して連続気泡の目が粗い分だけ、水切れ及び泡切れがよく乾燥させ易いものであり、また、前記第２スポンジ２は、第１スポンジ１に比して連続気泡の目が細かい分だけ、洗剤及び水の含みがよく泡立ち易く、この第２スポンジ２で泡立った洗剤の泡は、ネット４の網目７を通して第２スポンジ２の一側面２ａのブラシ毛群側に直接流出するから、例えば、第２スポンジ２の表面の一側面２ａ全域に亘って布地を貼着し、この布地の全域に、多数の合成樹脂製のブラシ毛を植設したものに比して、ブラシ毛群側での泡立ちが良好となる。
【００１１】
図４に示すように、前記ネット４の網糸４ａの交差箇所８、つまり、この網糸４ａの交わる部分８は、網糸４ａが交わらない他の部位９よりも強靱であり、この強靱な交差箇所８における各植毛部に植設されるブラシ毛５の単位面積当りの本数は、他の部位９における各植毛部でのブラシ毛５の本数よりも多く、該交差箇所８における各植毛部でのブラシ毛５の密度が、他の部位９よりも高く構成してある。
【００１２】
図２に示すように、前記タワシ本体３の積層方向に沿う４つの角部のうちの３つは、互いに半径の異なる大中小の３種類の弧状に形成してあり、被洗浄物の隅部の形状や曲率等に応じて、タワシ本体３の積層方向に沿う４つの角部のうち、大径の角部１０、中径の角部１１、小径の角部１２、並びに、残りの直角状の角部１３を使い分けることができる。
【００１３】
図１〜図３に示すように、前記タワシ本体３及びネット４に亘っては、前記両スポンジ１，２の積層方向に沿って貫通する複数（当該実施形態では２つ）の水切り用の貫通孔１４を形成してある。
【００１４】
尚、このように構成された樹脂タワシは、被洗浄物の種類に応じてタワシ本体３のスポンジ面のみによる洗浄とブラシ毛群による洗浄とに便利に使い分けすることができる。
【００１５】
〔その他の実施形態〕
（１）  前記実施形態では、連続気泡の目の粗さが異なる２種類の発泡樹脂１，２を積層状態で貼り合わせてタワシ本体３を構成したが、タワシ本体３を１種類の発泡樹脂（例えば、ポリウレタンフォーム製のスポンジ）から構成してもよく、また、タワシ本体３を１種類の合成樹脂製不織布（例えば、ポリ塩化ビニリデン製不織布）から構成してもよい。
（２）  前記実施形態において、前記第１スポンジ１に換えて合成樹脂製不織布（例えば、ポリ塩化ビニリデン製不織布）を第２スポンジ２に貼り合わせてタワシ本体３を構成してもよい。
（３）  前記実施形態では、亀甲模様の網状に編成して形成されたネット４をもって説明したが、ネット４としては、例えば、格子模様の網状に編成して形成されたものであってもよい。
（４）  前記タワシ本体３を構成する発泡樹脂１，２、及び、ネット４を構成する合成繊維、並びに、ブラシ毛５の材質は、前記実施形態で説明した材質に限定されるものではなく、適宜変更が可能である。
（５）  前記実施形態では、タワシ本体３の３つの角部を互いに半径の異なる弧状に形成したが、タワシ本体３の２つの角部を互いに半径の異なる弧状に形成してもよく、また、タワシ本体３の全ての角を直角に形成してもよい。
【図面の簡単な説明】
【図１】本発明の樹脂タワシの好ましい実施形態の斜視図
【図２】平面図
【図３】図２のＩＩＩ−ＩＩＩ線断面図
【図４】要部の拡大図
【符号の説明】
１    発泡樹脂
２    発泡樹脂
３    タワシ本体
４    ネット
４ａ  網糸
５    ブラシ毛
８    交差部
９    他の部位
【図１】
0003948800.tif 000002
【図２】
0003948800.tif 000003
【図３】
0003948800.tif 000004
【図４】
0003948800.tif 000005